(57)【要約】【課題】受け付けた複数のデータの同時性がより容易に判定できるようにする。【解決手段】処理部１０４は、記憶部１０２に記憶されているｉ番目（ｉ＝１，２）の過去データの複数の差データの中の許容時間幅の範囲内または範囲外となる個数Ｏｂij（Ｔ）［ｊ＝１は範囲内、ｊ＝２は範囲外］と、記憶部１０２に記憶されている複数の差データの時系列のｉ番目における許容時間幅の範囲内または範囲外となる期待値Ｅijとによる以下に示すカイ二乗の計算式のχ2を、受付部１０３が受け付けた有意水準から求め、求めたχ2による式より許容時間幅を求める。【選択図】  図１
2019195138.tif 000002
【特許請求の範囲】
【請求項１】
第１送信元よりネットワークを介して送信された第１データ、および第２送信元よりネットワークを介して前記第１データと同期して送信された第２データを受信するように構成された受信部と、
過去に前記第１送信元より時系列に送信されて受信された複数の第１過去データの各々の受信予定時刻と実際の受信時刻との差、および前記複数の第１過去データの各々に同期して前記第２送信元より送信されて受信された複数の第２過去データの各々の受信予定時刻と実際の受信時刻との差からなる複数の差データを記憶するように構成された記憶部と、
入力された有意水準を受け付けるように構成された受付部と、
前記記憶部に記憶されているｉ番目の過去データの複数の差データの中の許容時間幅の範囲内または範囲外となる個数Ｏｂij（Ｔ）［ｊ＝１は範囲内、ｊ＝２は範囲外］と、前記記憶部に記憶されているｉ番目の過去データの各々前記差データにおける許容時間幅の範囲内または範囲外となる期待値Ｅijとによる以下に示すカイ二乗の計算式のχ2を、前記受付部が受け付けた有意水準から求め、求めたχ2による以下の式より許容時間幅を求めるように構成された処理部と、
前記受信部が前記第１データを受信した第１時刻および前記第２データを受信した第２時刻の各々について受信予定時刻との差が、前記処理部が求めた許容時間幅の範囲内にあるか否かを判定するように構成された判定部と
を備えることを特徴とするデータ収集装置。
【数１】
2019195138.tif 000006
【請求項２】
請求項１記載のデータ収集装置において、
有意水準とχ2の関係が設定された設定記憶部を更に備え、
前記処理部は、前記設定記憶部に設定されている有意水準とχ2の関係から、前記受付部が受け付けた有意水準からχ2を求める
ことを特徴とするデータ収集装置。
【請求項３】
請求項２記載のデータ収集装置において、
前記設定記憶部は、自由度ごとに有意水準とχ2の関係が設定されていることを特徴とするデータ収集装置。
【請求項４】
請求項３記載のデータ収集装置において、
前記受付部は、入力された有意水準に加えて入力された自由度を受け付けることを特徴とするデータ収集装置。
【発明の詳細な説明】
【技術分野】
【０００１】
本発明は、制御などに用いられる関連性のある複数の時系列データを、ネットワークを介して収集するデータ収集装置に関する。
【背景技術】
【０００２】
例えば、電力の需給バランスを保つために電力デマンド管理が行われている（特許文献１参照）。電力デマンド管理においては、電力使用量が目標電力使用量（デマンド）を超えないようにするため、実際の電力使用状況に基づいて予測使用電力量を算出している。例えば、電力デマンド管理の対象となる領域における、複数の区画において各々測定されている使用電力量を元に、予測使用電力量を算出する。
【０００３】
予測に用いる使用電力量は、複数の測定箇所より時系列データとして送信され、予測使用電力量を算出する管理装置で受信され、予測使用電力量の算出に用いられる。
【先行技術文献】
【特許文献】
【０００４】
【特許文献１】特開２０１２−１９１７０７号公報
【発明の概要】
【発明が解決しようとする課題】
【０００５】
ところで、上述したような電力デマンド管理では、複数の測定箇所から送信された複数の時系列データの各々が、管理装置で同時に受け付けられることが重要となる。しかしながら、複数のデータが、受信予定時刻には受信されずに同時に受け付けられない場合がある。例えば、複数の測定箇所と管理装置との間は、ゲートウェイ装置によって接続された複数のサブシステムを経由するため、経路上の装置の負荷状況によっては、データ転送のタイミングにばらつきが生じる可能性がある。また、無線ネットワークを介してデータの測定・受信を行った場合、伝播状況や、中継器のバッテリー切れなどでメッシュネットワークの経路が変化するなどして、到達時刻にばらつきが発生する可能性がある。
【０００６】
このように、実際の受信時刻が受信予定時刻とは異なり、到達時刻にばらつきが発生する場合、許容時間を設定し、設定した許容時間の中に書くデータの受付時刻が収まっていれば、これらは同時に測定された一連のデータとして扱うようにすることが考えられる。
【０００７】
しかしながら、設定した許容幅によっては、実際には一連のデータであっても、許容外とされるデータが発生する場合があり、また、実際には一連のデータではなくても、許容内であるために一連のデータとして認定する場合がある。このため、同時性を判定するための許容幅の設定には、多数の試行錯誤を繰り返す必要があるなど、同時性の判定が容易ではないという問題があった。
【０００８】
本発明は、以上のような問題点を解消するためになされたものであり、受け付けた複数のデータの同時性がより容易に判定できるようにすることを目的とする。
【課題を解決するための手段】
【０００９】
本発明に係るデータ収集装置は、第１送信元よりネットワークを介して送信された第１データ、および第２送信元よりネットワークを介して第１データと同期して送信された第２データを受信するように構成された受信部と、過去に第１送信元より時系列に送信されて受信された複数の第１過去データの各々の受信予定時刻と実際の受信時刻との差、および複数の第１過去データの各々に同期して第２送信元より送信されて受信された複数の第２過去データの各々の受信予定時刻と実際の受信時刻との差からなる複数の差データを記憶する記憶部と、入力された有意水準を受け付けるように構成された受付部と、記憶部に記憶されているｉ番目の過去データの複数の差データの中の許容時間幅の範囲内または範囲外となる個数Ｏｂij（Ｔ）［ｊ＝１は範囲内、ｊ＝２は範囲外］と、記憶部に記憶されているｉ番目の過去データの各々差データにおける許容時間幅の範囲内または範囲外となる期待値Ｅijとによる以下に示すカイ二乗の計算式のχ2を、受付部が受け付けた有意水準から求め、求めたχ2による以下の式より許容時間幅を求めるように構成された処理部と、受信部が第１データを受信した第１時刻および第２データを受信した第２時刻の各々について受信予定時刻との差が、処理部が求めた許容時間幅の範囲内にあるか否かを判定するように構成された判定部とを備える。
【００１０】
【数１】
2019195138.tif 000003
【００１１】
上記データ収集装置において有意水準とχ2の関係が設定された設定記憶部を備え、処理部は、設定記憶部に設定されている有意水準とχ2の関係から、受付部が受け付けた有意水準からχ2を求める。例えば、設定記憶部は、自由度ごとに有意水準とχ2の関係が設定されている。この場合、受付部は、入力された有意水準に加えて入力された自由度を受け付ける。
【発明の効果】
【００１２】
以上説明したことにより、本発明によれば、受け付けた複数のデータの同時性がより容易に判定できるという優れた効果が得られる。
【図面の簡単な説明】
【００１３】
【図１】図１は、本発明の実施の形態におけるデータ収集装置の構成を示す構成図である。
【図２】図２は、本発明に係るデータ収集装置のハードウエア構成を示す構成図である。
【発明を実施するための形態】
【００１４】
以下、本発明の実施の形態おけるデータ収集装置１００について図１を参照して説明する。データ収集装置１００は、受信部１０１、記憶部１０２、受付部１０３、処理部１０４、判定部１０５、設定記憶部１０６、および表示部１０７を備える。
【００１５】
受信部１０１は、第１測定装置（第１送信元）１５１よりネットワーク１３１を介して送信された第１データ、および第２測定装置（第２送信元）１５２よりネットワーク１３１を介して第１データと同期して送信された第２データを受信する。第１測定装置１５１，第２測定装置１５２は、例えば、接地されている区画の電力を測定して送信する電力計測装置である。
【００１６】
記憶部１０２は、過去に第１測定装置１５１より時系列に送信されて受信された複数の第１過去データの各々の受信予定時刻と実際の受信時刻との差、および複数の第１過去データの各々に同期して第２測定装置１５２より送信されて受信された複数の第２過去データの各々の受信予定時刻と実際の受信時刻との差からなる複数の差データを記憶する。受付部１０３は、例えば利用者の操作により入力された有意水準を受け付ける。
【００１７】
処理部１０４は、記憶部１０２に記憶されているｉ番目（ｉ＝１，２）の過去データの複数の差データの中の許容時間幅の範囲内または範囲外となる個数Ｏｂij（Ｔ）［ｊ＝１は範囲内、ｊ＝２は範囲外］と、記憶部１０２に記憶されているｉ番目の過去データの各々差データにおける許容時間幅の範囲内または範囲外となる期待値Ｅijとによる以下に示すカイ二乗の計算式のχ2を、受付部１０３が受け付けた有意水準から求め、求めたχ2による以下の式より許容時間幅を求める。
【００１８】
【数２】
2019195138.tif 000004
【００１９】
設定記憶部１０６は、有意水準とχ2の関係が設定されている。例えば、処理部１０４は、設定記憶部１０６に設定されている有意水準とχ2の関係から、受付部１０３が受け付けた有意水準からχ2を求める。設定記憶部１０６は、以下の表１に例示するように、自由度ごとに有意水準とχ2との関係が設定されている。
【００２０】
【表１】
2019195138.tif 000005
【００２１】
例えば、利用者は、時系列データの数を元に自由度を決定し、決定した自由度と所望とする有意水準とを受付部１０３に入力する。例えば、自由度を２とし、有意水準を０．１とし、これらを入力する。これらの値を受け付けると、処理部１０４は、χ2＝４．６０４を得る。
【００２２】
自由度は、時系列データの数（受信した回数）より１を減じた値である。また、有意水準は、同時に到着してほしい確率を１より減じた値とする。例えば、同時と見なしたい確率を９０％とする場合、有意水準は、１−０．９＝０．１とすればよい。
【００２３】
判定部１０５は、受信部１０１が第１データを受信した第１時刻および第２データを受信した第２時刻の各々について受信予定時刻との差が、処理部１０４が求めた許容時間幅の範囲内にあるか否かを判定する。判定部１０５は、判定結果を表示部１０７に表示する。
【００２４】
なお、上述した実施の形態におけるデータ収集装置は、図２に示すように、ＣＰＵ（Central Processing Unit；中央演算処理装置）２０１と主記憶装置２０２と、外部記憶装置２０３とネットワーク接続装置２０４となどを備えたコンピュータ機器であり、主記憶装置２０２に展開されたプログラムによりＣＰＵ２０１が動作することで、上述した各機能が実現される。ネットワーク接続装置２０４は、ネットワーク２０５に接続する。また、各機能は、複数のコンピュータ機器に分散させるようにしてもよい。
【００２５】
以上に説明したように、本発明によれば、カイ二乗検定の有意水準より決定されるχ2と許容時間幅との関係を用い、受け付けられた有意水準より、同時性を判定するための許容時間幅を求めるようにしたので、受け付けた複数のデータの同時性がより容易に判定できるようになる。
【００２６】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００２７】
１００…データ収集装置、１０１…受信部、１０２…記憶部、１０３…受付部、１０４…処理部、１０５…判定部、１０６…設定記憶部、１３１…ネットワーク、１５１…第１測定装置（第１送信元）、１５２…第２測定装置（第２送信元）。
【図１】
2019195138.tif 000007
【図２】
2019195138.tif 000008